(57)【要約】【課題】ＰＤＰの表示部に設けられた光学フィルタの接地を容易かつ確実にし、表示部における視認性及び信頼性を向上させ、さらには、銅テープを用いた処理を必要とせず、生産性の向上、製造コストの削減が可能なＰＤＰにおける光学フィルタの接地構造を提供する。【解決手段】本発明は、ＰＤＰの画像表示部１上に設けられた光学フィルタ２１の接地構造であり、矩形状の金属板４１の一端部４１ａが断面Ｓ字状に折り畳まれ折曲部４２とされたアース電極２２を用い、この折曲部４２の断面Ｕ字状の部分により光学フィルタ２１の端部を挟持すると共に、この折曲部４２の弾性により画像表示部１及び筐体６双方を押圧することで、画像表示部１及び光学フィルタ２１を筐体６に固定したことを特徴とする。【選択図】図１
2007148275.tif 000002
【特許請求の範囲】
【請求項１】
プラズマディスプレイパネルの表示部に設けられた光学フィルタを接地する構造であって、
前記表示部と前記光学フィルタとにより接地用電極の少なくとも一部を挟持し、この接地用電極を前記光学フィルタと電気的に接続するとともに、この接地用電極を接地してなることを特徴とするプラズマディスプレイパネルにおける光学フィルタの接地構造。
【請求項２】
前記光学フィルタは、前記表示部側の面に電磁波遮蔽機能を有する電磁波遮蔽部を備え、この電磁波遮蔽部に前記接地用電極を電気的に接続してなることを特徴とする請求項１記載のプラズマディスプレイパネルにおける光学フィルタの接地構造。
【請求項３】
前記電磁波遮蔽部は、近赤外線遮蔽材料を含む粘着層により前記表示部に貼着されてなることを特徴とする請求項１または２記載のプラズマディスプレイパネルにおける光学フィルタの接地構造。
【請求項４】
前記接地用電極は、板状の電極部を備え、
この板状の電極部は、導電性の固定具を介して前記プラズマディスプレイパネルの筐体に固定され、かつ、前記固定具を介して接地されてなることを特徴とする請求項１、２または３記載のプラズマディスプレイパネルにおける光学フィルタの接地構造。
【請求項５】
前記板状の電極部の一端部側を、その一端部に略平行な複数箇所にて折曲した折曲部とし、この折曲部により前記光学フィルタを挟持するとともに、前記表示部に接触してなることを特徴とする請求項４記載のプラズマディスプレイパネルにおける光学フィルタの接地構造。
【請求項６】
前記板状の電極部の一端部側に、その一端部に略垂直な方向の切り込み部を複数形成して複数の電極片とし、これらの電極片を、互いに異なる方向に交互に折曲し、これらの電極片により前記光学フィルタを挟持するとともに、一部の前記電極片を前記表示部に接触してなることを特徴とする請求項４記載のプラズマディスプレイパネルにおける光学フィルタの接地構造。
【請求項７】
前記板状の電極部は、略コの字状の第１の電極片と、板状の第２の電極片とを備え、前記第１及び第２の電極片により前記光学フィルタを挟持するとともに、前記第１及び第２の電極片のいずれか一方を前記表示部に接触してなることを特徴とする請求項４記載のプラズマディスプレイパネルにおける光学フィルタの接地構造。
【請求項８】
前記板状の電極部の一端部を、前記表示部と前記光学フィルタとにより挟持し、前記光学フィルタを前記板状の電極部を介して前記筐体に固定または押圧してなることを特徴とする請求項４記載のプラズマディスプレイパネルにおける光学フィルタの接地構造。
【発明の詳細な説明】
【技術分野】
【０００１】
本発明は、プラズマディスプレイパネルにおける光学フィルタの接地構造に関し、さらに詳しくは、光学フィルタの接地を容易かつ確実にすることで表示部における視認性及び信頼性を向上させ、さらには、生産性を向上させ、製造コストの削減が可能な技術に関するものである。
【背景技術】
【０００２】
近年、大画面かつ薄型の受像機として、プラズマディスプレイパネル（以下、ＰＤＰと略記することがある。）が開発され、実用化されている。
このＰＤＰは、表示電極、バス電極、誘電体層および保護層を有する前面ガラス基板と、データ電極、誘電体層、ストライプ状の隔壁及び蛍光体層を有する背面ガラス基板とを、表示電極及びバス電極とデータ電極とが互いに直交するように貼り合せて表示セルを形成し、この表示セル内にＨｅ−Ｘｅ混合ガス等の放電ガスを封入して構成されている。
このＰＤＰでは、データ電極と表示電極との間に電圧を印加することにより、表示セル内にてキセノンを放電させ、プラズマ状態となったキセノンイオンが基底状態に戻る際にキセノンの共鳴線（１４７ｎｍ）に相当する紫外線を発生し、この紫外線が蛍光体を励起して、赤（Ｒ）、緑（Ｇ）、青（Ｂ）の各色光を発光させることにより、カラー表示を可能としている。
このＰＤＰは、薄型ディスプレイ装置として、設置スペースが狭く、壁掛けテレビジョン等の表示装置等として有用であると考えられている。
【０００３】
ところで、このＰＤＰでは、これら可視光の発光の過程で、これらの可視光に加え、近赤外線及び電磁波も発生する。そこで、これらの近赤外線及び電磁波をカットするために、表示部となる前面ガラス基板の表面に、反射防止機能、近赤外線遮蔽機能、電磁波遮蔽機能が付与された光学フィルタを設けるのが一般的である。
光学フィルタとしては、一般に、何層かのフィルムを積層したフィルム積層体をガラス基板に貼り合わせたタイプの光学フィルタが用いられており、更なる軽量化、省スペース化を目的として、フィルム積層体を主体としたフィルムタイプの光学フィルタも用いられている（特許文献１、２等参照）。
【０００４】
図１１は、従来のＰＤＰにおけるフィルムタイプの光学フィルタの接地構造の一例を示す断面図、図１２は同接地構造の要部を示す平面図であり、２枚のフィルム基材を用いた光学フィルタの例である。
図において、１はプラズマディスプレイパネルの主要部を構成する画像表示部、２は画像表示部１上に設けられた光学フィルタ、３は板状の金属からなるアース電極（接地電極）、４は金属製のボルト、５は長尺の金属からなる支持部、６は導電性材料からなるプラズマディスプレイパネルの筐体である。
光学フィルタ２は、電磁波遮蔽フィルム１１と、反射防止機能及び近赤外線遮蔽機能を有する複合フィルム１２とにより構成されている。
電磁波遮蔽フィルム１１は、ポリエチレンテレフタレート（ＰＥＴ）フィルム１３と、ＰＥＴフィルム１３の上面に網目状に形成された電磁波遮蔽膜１４とにより構成され、複合フィルム１２は、ポリエチレンテレフタレート（ＰＥＴ）フィルム１５と、ＰＥＴフィルム１５の上面に形成された反射防止膜１６と、ＰＥＴフィルム１５の下面に形成された近赤外線遮蔽膜１７とにより構成され、電磁波遮蔽フィルム１１と複合フィルム１２とは、接着剤層１８により接着固定されている。
【０００５】
このＰＤＰでは、電磁波遮蔽膜１４の一部を露出してなるアース電極取り出し部１１ａにアース電極３の一端部を電気的に接続することで、ボルト４及び支持部５を介して接地した構造となっている。
このＰＤＰの光学フィルタは、２枚のフィルム基材を用いたものであるが、近年におけるＰＤＰの更なる軽量化、省スペース化、低価格化、省資源化の要求に対して、フィルムタイプの光学フィルタにおいても更なる軽量化、省スペース化、低価格化、省資源化が要求され、そこで、１枚のフィルム基材上に、反射防止機能、近赤外線遮蔽機能、電磁波遮蔽機能を集約した光学フィルタが提案されている。
【特許文献１】特開２００４−１２５６１号公報
【特許文献２】特開２００５−１７５３４号公報
【発明の開示】
【発明が解決しようとする課題】
【０００６】
しかしながら、上述した１枚のフィルム基材を用いた光学フィルタでは、例えば、電磁波遮蔽フィルムと、反射防止機能及び近赤外線遮蔽機能を有する複合フィルムとを接着剤層により接着固定しているが、反射防止機能は光学フィルタの最表面に付与する必要があるために、反射防止膜はＰＥＴフィルムの上面に形成する必要がある。したがって、電磁波遮蔽フィルムにおけるアースの取り出し面が画像表示部側となり、接地させ難いという問題点があった。
この電磁波遮蔽フィルムのアースの接地に不具合が生じた場合、光学フィルタの接地が不十分なものとなり、したがって、電磁波を十分に遮蔽することができず、表示部における視認性及び信頼性の低下が生じる虞がある。
また、銅テープ等を用いて光学フィルタの上面にアース取り出し面を形成した場合には、銅テープを用いたことにより材料コスト及び工程コストが上がってしまうという問題点があった。
【０００７】
本発明は、上記の課題を解決するためになされたものであって、プラズマディスプレイパネルの表示部に設けられた光学フィルタの接地を容易かつ確実にすることで、十分に電磁波を遮蔽するとともに、表示部における視認性及び信頼性を向上させ、さらには、生産性を向上させ、製造コストの削減が可能なプラズマディスプレイパネルにおける光学フィルタの接地構造を提供することを目的とする。
【課題を解決するための手段】
【０００８】
本発明者等は、上記課題を解決するために鋭意研究を行った結果、プラズマディスプレイパネルの画像表示部と、この画像表示部に設けられた光学フィルタとにより、接地用電極の少なくとも一部を挟持し、この接地用電極を光学フィルタと電気的に接続するとともに、この接地用電極を接地すれば、光学フィルタの接地が容易かつ確実であり、銅テープを用いた処理を必要とせず、十分に電磁波を遮蔽し、しかも画像表示部における視認性及び信頼性が向上することを見出し、本発明を完成させるに至った。
【０００９】
すなわち、本発明のプラズマディスプレイパネルにおける光学フィルタの接地構造は、プラズマディスプレイパネルの表示部に設けられた光学フィルタを接地する構造であって、前記表示部と前記光学フィルタとにより接地用電極の少なくとも一部を挟持し、この接地用電極を前記光学フィルタと電気的に接続するとともに、この接地用電極を接地してなることを特徴とする。
【００１０】
このプラズマディスプレイパネルにおける光学フィルタの接地構造では、表示部と光学フィルタとにより接地用電極の少なくとも一部を挟持し、この接地用電極を前記光学フィルタと電気的に接続するとともに、この接地用電極を接地したことにより、銅テープを用いた処理を必要とせず、光学フィルタの接地が容易かつ確実となる。これにより、光学フィルタの接地不良に起因する表示部の不具合が解消され、表示部における視認性及び信頼性が向上する。
【００１１】
前記光学フィルタは、前記表示部側の面に電磁波遮蔽機能を有する電磁波遮蔽部を備え、この電磁波遮蔽部に前記接地用電極を電気的に接続してなることを特徴とする。
この光学フィルタの接地構造では、光学フィルタに備えられた電磁波遮蔽部に、接地用電極を電気的に接続したことにより、光学フィルタの電磁波遮蔽部の接地不良に起因する表示部の電磁波による不具合が解消され、表示部における視認性及び信頼性がさらに向上する。
【００１２】
前記電磁波遮蔽部は、近赤外線遮蔽材料を含む粘着層により前記表示部に貼着されてなることを特徴とする。
この光学フィルタの接地構造では、電磁波遮蔽部を、近赤外線遮蔽材料を含む粘着層により表示部に貼着したことにより、光学フィルタに近赤外線遮蔽機能を付与することが可能になる。
【００１３】
前記接地用電極は、板状の電極部を備え、この板状の電極部は、導電性の固定具を介して前記プラズマディスプレイパネルの筐体に固定され、かつ、前記固定具を介して接地されてなることを特徴とする。
この光学フィルタの接地構造では、接地用電極に備えられた板状の電極部を、導電性の固定具を介してプラズマディスプレイパネルの筐体に固定し、かつ、前記固定具を介して接地したことにより、光学フィルタの接地がより容易かつ確実となり、光学フィルタの接地不良に起因する表示部の不具合が解消され、表示部における視認性及び信頼性がさらに向上する。
【００１４】
前記板状の電極部の一端部側を、その一端部に略平行な複数箇所にて折曲した折曲部とし、この折曲部により前記光学フィルタを挟持するとともに、前記表示部に接触してなることを特徴とする。
【００１５】
前記板状の電極部の一端部側に、その一端部に略垂直な方向の切り込み部を複数形成して複数の電極片とし、これらの電極片を、互いに異なる方向に交互に折曲し、これらの電極片により前記光学フィルタを挟持するとともに、一部の前記電極片を前記表示部に接触してなることを特徴とする。
【００１６】
前記板状の電極部は、略コの字状の第１の電極片と、板状の第２の電極片とを備え、前記第１及び第２の電極片により前記光学フィルタを挟持するとともに、前記第１及び第２の電極片のいずれか一方を前記表示部に接触してなることを特徴とする。
【００１７】
前記板状の電極部の一端部を、前記表示部と前記光学フィルタとにより挟持し、前記光学フィルタを前記板状の電極部を介して前記筐体に固定または押圧してなることを特徴とする。
【発明の効果】
【００１８】
本発明のプラズマディスプレイパネルにおける光学フィルタの接地構造によれば、表示部と光学フィルタとにより接地用電極の少なくとも一部を挟持し、この接地用電極を前記光学フィルタと電気的に接続するとともに、この接地用電極を接地することとしたので、銅テープを用いた処理を必要とせず、光学フィルタの接地を容易かつ確実に行うことができ、光学フィルタの接地不良に起因する表示部の不具合を解消することができ、表示部における視認性及び信頼性を向上させることができる。
また、表示部と光学フィルタとにより接地用電極の少なくとも一部を挟持することで、プラズマディスプレイパネルの厚みを薄くすることができ、軽量化、省スペース化、省資源化、低コスト化を図ることができる。
【００１９】
また、光学フィルタに備えられた電磁波遮蔽部に、接地用電極を電気的に接続したこととすれば、電磁波遮蔽部の接地不良に起因する表示部の電磁波による不具合を解消することができ、表示部における視認性及び信頼性をさらに向上させることができる。
【００２０】
また、電磁波遮蔽部を、近赤外線遮蔽材料を含む粘着層により表示部に貼着したこととすれば、光学フィルタに近赤外線遮蔽機能を付与することができる。
【００２１】
また、接地用電極に備えられた板状の電極部を、導電性の固定具を介してプラズマディスプレイパネルの筐体に固定し、かつ、前記固定具を介して接地したこととすれば、光学フィルタの接地をより容易かつ確実に行うことができ、光学フィルタの接地不良に起因する表示部の不具合を解消することができ、表示部における視認性及び信頼性をさらに向上させることができる。
【発明を実施するための最良の形態】
【００２２】
本発明のプラズマディスプレイパネルにおける光学フィルタの接地構造の最良の形態について説明する。
なお、この形態は、発明の趣旨をより良く理解させるために具体的に説明するものであり、特に指定のない限り、本発明を限定するものではない。
【００２３】
「第１の実施形態」
図１は、本発明の第１の実施形態のプラズマディスプレイパネル（ＰＤＰ）における光学フィルタの接地構造を示す断面図、図２は同接地構造の要部を示す平面図であり、これらの図において、図１１及び図１２と同一の構成要素には同一の符号を付してある。
図中、２１はＰＤＰの画像表示部１上に設けられた光学フィルタ、２２は矩形状の金属板を折り曲げたアース電極（接地用電極）である。
【００２４】
光学フィルタ２１は、ポリエチレンテレフタレート（ＰＥＴ）等の柔軟性を有する透明フィルム３１と、この透明フィルム３１の画像表示部１側の面（下面）に網目状に形成された電磁波遮蔽膜（電磁波遮蔽部）３２と、この透明フィルム３１の上面に形成された反射防止膜３３と、この透明フィルム３１及び電磁波遮蔽膜３２を画像表示部１に接着固定するための近赤外線遮蔽材料及び色素を含む色粘着層３４とにより構成され、電磁波遮蔽膜３２のアース電極２２側の端部がアース電極取り出し部３２ａとされている。
【００２５】
アース電極２２は、矩形状の金属板（板状の電極部）４１の長辺方向に沿う一端部４１ａ側が、その一端部４１ａに略平行な複数箇所にて折曲され断面がＳ字状に折り畳まれた折曲部４２とされ、この折曲部４２の一部、すなわち断面Ｕ字状の部分により光学フィルタ２１の端部を挟持すると共にアース電極取り出し部３２ａに電気的に接続されている。
【００２６】
この金属板４１の長辺方向に沿う他端部４１ｂ側には、金属製のボルト（導電性の固定具）４を挿通する孔４３が複数個形成され、ボルト４を孔４３に挿通し支持部５に固定することで、アース電極２２が筐体６に固定されている。
一方、折曲部４１ａは、その弾性により光学フィルタ２１の端部を挟持した状態で画像表示部１及び筐体６の双方に押圧されている。
【００２７】
このＰＤＰでは、電磁波遮蔽膜３２のアース電極取り出し部３２ａにアース電極２２の折曲部４２の一部を電気的に接続することで、ボルト４及び支持部５を介して接地した構成になっている。
また、アース電極２２の折曲部４２により光学フィルタ２１の端部を挟持すると共に、この折曲部４２の弾性により画像表示部１及び筐体６双方を押圧することで、画像表示部１及び光学フィルタ２１を筐体６に固定する構成になっている。
【００２８】
以上説明した様に、このＰＤＰでは、アース電極２２の折曲部４２を電磁波遮蔽膜３２のアース電極取り出し部３２ａに電気的に接続し、この折曲部４２により光学フィルタ２１の端部を挟持し、さらに、この折曲部４２の弾性により画像表示部１及び筐体６双方を押圧することとしたので、光学フィルタ２１の接地を容易かつ確実に行うことができる。したがって、画像表示部１における光学フィルタ２１の接地不良に起因する不具合を防止することができ、画像表示部１における視認性及び信頼性を向上させることができる。
【００２９】
「第２の実施形態」
図３は、本発明の第２の実施形態のプラズマディスプレイパネル（ＰＤＰ）における光学フィルタの接地構造を示す断面図、図４は同接地構造の要部を示す平面図である。
本実施形態のアース電極（接地用電極）５１が第１の実施形態のアース電極２２と異なる点は、矩形状の金属板４１の長辺方向に沿う一端部４１ａ側に、その一端部４１ａに略垂直な方向の切り込み部５２を複数形成して複数の電極片５３（図４では４片）とし、これらの電極片５３を、互いに異なる方向に交互に折曲し、これらの電極片５３により光学フィルタ２１の端部を挟持すると共に、画像表示部１側の電極片５３をアース電極取り出し部３２ａに電気的に接続した点である。
【００３０】
このＰＤＰでは、アース電極５１の画像表示部１側の電極片５３を、電磁波遮蔽膜３２のアース電極取り出し部３２ａに電気的に接続することで、ボルト４及び支持部５を介して接地した構成になっている。
また、アース電極５１の電極片５３により光学フィルタ２１の端部を挟持すると共に、このアース電極５１を支持部５に固定することで、画像表示部１及び光学フィルタ２１を筐体６に固定する構成になっている。
このＰＤＰにおいても、第１の実施形態のＰＤＰと全く同様の作用、効果を奏することができる。
【００３１】
「第３の実施形態」
図５は、本発明の第３の実施形態のプラズマディスプレイパネル（ＰＤＰ）における光学フィルタの接地構造を示す断面図、図６は同接地構造の要部を示す平面図である。
本実施形態のアース電極（接地用電極）６１が第２の実施形態のアース電極５１と異なる点は、電極片５３各々にコの字状の切り込み部６２を形成して、コの字状の電極片６３及び矩形状の電極片６４とし、これらの電極片６３、６４により光学フィルタ２１の端部を挟持すると共に、矩形状の電極片６４をアース電極取り出し部３２ａに電気的に接続した点である。
【００３２】
このＰＤＰでは、アース電極６１の矩形状の電極片６４を、電磁波遮蔽膜３２のアース電極取り出し部３２ａに電気的に接続することで、ボルト４及び支持部５を介して接地した構成になっている。
また、アース電極６１の電極片６３、６４により光学フィルタ２１の端部を挟持すると共に、このアース電極６１を支持部５に固定することで、画像表示部１及び光学フィルタ２１を筐体６に固定する構成になっている。
このＰＤＰにおいても、第２の実施形態のＰＤＰと全く同様の作用、効果を奏することができる。
【００３３】
「第４の実施形態」
図７は、本発明の第４の実施形態のプラズマディスプレイパネル（ＰＤＰ）における光学フィルタの接地構造を示す断面図、図８は同接地構造の要部を示す平面図である。
本実施形態のアース電極（接地用電極）７１が第１の実施形態のアース電極２２と異なる点は、コの字状の電極片７２と矩形状の電極片７３の２つの電極片により構成し、これらの電極片７２、７３により光学フィルタ２１の端部を挟持すると共に、コの字状の電極片７２をアース電極取り出し部３２ａに電気的に接続した点である。
【００３４】
このコの字状の電極片７２の両端部７２ａ各々には、金属製のボルト４を挿通する孔４３が形成され、ボルト４を孔４３に挿通し支持部５に固定することで、コの字状の電極片７２が筐体６に固定されている。
また、矩形状の電極片７３の長辺方向に沿う一端部７３ａ側には、金属製のボルト４を挿通する孔４３が複数個形成され、ボルト４を孔４３に挿通し支持部５に固定することで、矩形状の電極片７３が筐体６に固定されている。
【００３５】
このＰＤＰでは、コの字状の電極片７２を、電磁波遮蔽膜３２のアース電極取り出し部３２ａに電気的に接続することで、ボルト４及び支持部５を介して接地した構成になっている。
また、アース電極７１の電極片７２、７３により光学フィルタ２１の端部を挟持すると共に、これら電極片７２、７３を筐体６に固定することで、画像表示部１及び光学フィルタ２１を筐体６に固定する構成になっている。
このＰＤＰにおいても、第１の実施形態のＰＤＰと全く同様の作用、効果を奏することができる。
【００３６】
「第５の実施形態」
図９は、本発明の第５の実施形態のプラズマディスプレイパネル（ＰＤＰ）における光学フィルタの接地構造を示す断面図、図１０は同接地構造の要部を示す平面図である。
本実施形態のアース電極（接地用電極）８１が第１の実施形態のアース電極２２と異なる点は、平坦な矩形状の金属板８２の長辺方向に沿う一端部８２ａを、光学フィルタ２１のアース電極取り出し部３２ａと画像表示部１とにより挟持し、金属板８２をアース電極取り出し部３２ａに電気的に接続すると共に、金属板８２をボルト４及び支持部５を介して接地した点である。
【００３７】
このＰＤＰでは、金属板８２の一端部８２ａを光学フィルタ２１のアース電極取り出し部３２ａに電気的に接続することで、ボルト４及び支持部５を介して接地した構成になっている。
また、金属板８２の一端部８２ａを、光学フィルタ２１と画像表示部１とにより挟持し、さらに、光学フィルタ２１を筐体６により固定することで、画像表示部１及び光学フィルタ２１を筐体６に固定する構成になっている。
このＰＤＰにおいても、第１の実施形態のＰＤＰと全く同様の作用、効果を奏することができる。
【産業上の利用可能性】
【００３８】
本発明のＰＤＰにおける光学フィルタの接地構造は、ＰＤＰの表示部と、この表示部に設けられた光学フィルタとにより接地用電極の少なくとも一部を挟持し、この接地用電極を前記光学フィルタと電気的に接続するとともに、この接地用電極を接地したものであるから、ＰＤＰへの適用はもちろんのこと、エレクトロルミネッセンス（ＥＬ）ディスプレイ等の表示装置に対しても適用することが可能であり、その効果は非常に大きなものである。
【図面の簡単な説明】
【００３９】
【図１】本発明の第１の実施形態のＰＤＰにおける光学フィルタの接地構造を示す断面図である。
【図２】本発明の第１の実施形態のＰＤＰにおける光学フィルタの接地構造の要部を示す平面図である。
【図３】本発明の第２の実施形態のＰＤＰにおける光学フィルタの接地構造を示す断面図である。
【図４】本発明の第２の実施形態のＰＤＰにおける光学フィルタの接地構造の要部を示す平面図である。
【図５】本発明の第３の実施形態のＰＤＰにおける光学フィルタの接地構造を示す断面図である。
【図６】本発明の第３の実施形態のＰＤＰにおける光学フィルタの接地構造の要部を示す平面図である。
【図７】本発明の第４の実施形態のＰＤＰにおける光学フィルタの接地構造を示す断面図である。
【図８】本発明の第４の実施形態のＰＤＰにおける光学フィルタの接地構造の要部を示す平面図である。
【図９】本発明の第５の実施形態のＰＤＰにおける光学フィルタの接地構造を示す断面図である。
【図１０】本発明の第５の実施形態のＰＤＰにおける光学フィルタの接地構造の要部を示す平面図である。
【図１１】従来のＰＤＰにおけるフィルムタイプの光学フィルタの接地構造を示す断面図である。
【図１２】従来のＰＤＰにおけるフィルムタイプの光学フィルタの接地構造の要部を示す平面図である。
【符号の説明】
【００４０】
１  画像表示部
４  ボルト
５  支持部
６  筐体
２１  光学フィルタ
２２  アース電極
３１  透明フィルム
３２  電磁波遮蔽膜
３２ａ  アース電極取り出し部
３３  反射防止膜
３４  色粘着層
４１  金属板
４１ａ  一端部
４１ｂ  他端部
４２  折曲部
４３  孔
５１  アース電極
５２  切り込み部
５３  電極片
６１  アース電極
６２  コの字状の切り込み部
６３  コの字状の電極片
６４  矩形状の電極片
７１  アース電極
７２  コの字状の電極片
７２ａ  端部
７３  矩形状の電極片
７３ａ  他端部
８１  アース電極
８２  金属板
８２ａ  一端部
【図１】
2007148275.tif 000003
【図２】
2007148275.tif 000004
【図３】
2007148275.tif 000005
【図４】
2007148275.tif 000006
【図５】
2007148275.tif 000007
【図６】
2007148275.tif 000008
【図７】
2007148275.tif 000009
【図８】
2007148275.tif 000010
【図９】
2007148275.tif 000011
【図１０】
2007148275.tif 000012
【図１１】
2007148275.tif 000013
【図１２】
2007148275.tif 000014